(57)【要約】【課題】マルチ検出器に対する相対位置の異なる再構成面に対して共通した処理手順を使用可能にする。【解決手段】基本再構成面上の１本または複数本のラインに対応する基本ライン状データを基にＣＴ画像を生成するための基本処理手順を保持しておき、基本再構成面とは異なる第１再構成面に対応する実在データから前記基本ライン状データに対応する仮想基本ライン状データを作成し、前記仮想基本ライン状データを基に前記基本処理手順を用いてＣＴ画像を再構成する。【効果】基本処理手順の実行をハードウエア化するのに好適となる。【選択図】図１１
2005319146.tif 000002
【特許請求の範囲】
【請求項１】
基本再構成面上の１本または複数本のラインに対応する基本ライン状データを基にＣＴ画像を生成するための基本処理手順を保持し、基本再構成面とは異なる第１再構成面に対応する実在データから前記基本ライン状データに対応する仮想基本ライン状データを作成し、前記仮想基本ライン状データを基に前記基本処理手順を用いてＣＴ画像を再構成することを特徴とするＣＴ画像生成方法。
【請求項２】
請求項１に記載のＣＴ画像生成方法において、マルチ検出器の検出器列の実在データをＸ線透過方向に第１再構成面に投影した第１ライン状データから前記基本ライン状データに対応する仮想基本ライン状データを作成することを特徴とするＣＴ画像生成方法。
【請求項３】
基本再構成面上の１本または複数本のラインに対応する基本ライン状データを基にＣＴ画像を生成するための基本処理手順を保持し、基本再構成面とは異なる第１再構成面に対応する実在データから前記基本ライン状データに対応する第１仮想基本ライン状データを作成し、前記第１再構成面とは異なる第２再構成面に対応する実在データから前記基本ライン状データに対応する第２仮想基本ライン状データを作成し、前記第１仮想基本ライン状データと前記第２仮想基本ライン状データとを加重加算したデータを基に前記基本処理手順を用いて一つのＣＴ画像を再構成することを特徴とするＣＴ画像生成方法。
【請求項４】
請求項３に記載のＣＴ画像生成方法において、マルチ検出器の検出器列の実在データをＸ線透過方向に第１再構成面に投影した第１ライン状データから前記第１仮想基本ライン状データを作成し、マルチ検出器の検出器列の実在データをＸ線透過方向に第２再構成面に投影した第２ライン状データから前記第２仮想基本ライン状データを作成することを特徴とするＣＴ画像生成方法。
【請求項５】
基本再構成面上の１本または複数本のラインに対応する基本ライン状データを基にＣＴ画像を生成するための基本処理手順を保持し、同一ビューまたは対向ビューについて第１位置で第１実在データを取得し第２位置で第２実在データを取得し、基本再構成面と同じか又は異なる第１再構成面に対応する前記第１実在データから前記基本ライン状データに対応する第１仮想基本ライン状データを作成し、前記第１再構成面に対応する前記第２実在データから前記基本ライン状データに対応する第２仮想基本ライン状データを作成し、前記第１仮想基本ライン状データと前記第２仮想基本ライン状データとを加重加算したデータを基に前記基本処理手順を用いて一つのＣＴ画像を再構成することを特徴とするＣＴ画像生成方法。
【請求項６】
請求項５に記載のＣＴ画像生成方法において、前記第１位置でのマルチ検出器の検出器列の実在データをＸ線透過方向に前記第１再構成面に投影した第１ライン状データから前記第１仮想基本ライン状データを作成し、前記第２位置でのマルチ検出器の検出器列の実在データをＸ線透過方向に前記第１再構成面に投影した第２ライン状データから前記第２仮想基本ライン状データを作成することを特徴とするＣＴ画像生成方法。
【請求項７】
請求項１から請求項６のいずれかに記載のＣＴ画像生成方法において、前記ラインは、マルチ検出器の各検出器列をＸ線透過方向に基本再構成面に投影したラインであることを特徴とするＣＴ画像生成方法。
【請求項８】
請求項１から請求項６のいずれかに記載のＣＴ画像生成方法において、前記ラインは、基本再構成面上の１本または複数画素間隔あけた複数本の直線であることを特徴とするＣＴ画像生成方法。
【請求項９】
Ｘ線管と、マルチ検出器と、Ｘ線管およびマルチ検出器の少なくとも一方を撮影対象の周りに相対回転させて実在データを収集するか又はＸ線管およびマルチ検出器の少なくとも一方を撮影対象の周りに相対回転させ且つＸ線管およびマルチ検出器を撮影対象に対して相対直線移動させて実在データを収集するスキャン手段と、基本再構成面上の１本または複数本のラインに対応する基本ライン状データを基にＣＴ画像を生成するための基本処理手順を保持する基本処理手順保持手段と、基本再構成面とは異なる第１再構成面に対応する実在データから前記基本ライン状データに対応する仮想基本ライン状データを作成する仮想基本ライン状データ作成手段と、前記仮想基本ライン状データを基に前記基本処理手順を用いてＣＴ画像を再構成する再構成手段とを具備したことを特徴とするＸ線ＣＴ装置。
【請求項１０】
請求項９に記載のＸ線ＣＴ装置において、前記仮想基本ライン状データ作成手段は、マルチ検出器の検出器列の実在データをＸ線透過方向に第１再構成面に投影した第１ライン状データから前記基本ライン状データに対応する仮想基本ライン状データを作成することを特徴とするＸ線ＣＴ装置。
【請求項１１】
Ｘ線管と、マルチ検出器と、Ｘ線管およびマルチ検出器の少なくとも一方を撮影対象の周りに相対回転させて実在データを収集するか又はＸ線管およびマルチ検出器の少なくとも一方を撮影対象の周りに相対回転させ且つＸ線管およびマルチ検出器を撮影対象に対して相対直線移動させて実在データを収集するスキャン手段と、基本再構成面上の１本または複数本のラインに対応する基本ライン状データを基にＣＴ画像を生成するための基本処理手順を保持する基本処理手順保持手段と、基本再構成面とは異なる第１再構成面に対応する実在データから前記基本ライン状データに対応する第１仮想基本ライン状データを作成すると共に前記第１再構成面とは異なる第２再構成面に対応する実在データから前記基本ライン状データに対応する第２仮想基本ライン状データを作成する仮想基本ライン状データ作成手段と、前記第１仮想基本ライン状データと前記第２仮想基本ライン状データとを加重加算したデータを基に前記基本処理手順を用いて一つのＣＴ画像を再構成する再構成手段とを具備したことを特徴とするＸ線ＣＴ装置。
【請求項１２】
請求項１１に記載のＸ線ＣＴ装置において、前記仮想基本ライン状データ作成手段は、マルチ検出器の検出器列の実在データをＸ線透過方向に第１再構成面に投影した第１ライン状データから前記第１仮想基本ライン状データを作成し、マルチ検出器の検出器列の実在データをＸ線透過方向に第２再構成面に投影した第２ライン状データから前記第２仮想基本ライン状データを作成することを特徴とするＸ線ＣＴ装置。
【請求項１３】
Ｘ線管と、マルチ検出器と、Ｘ線管およびマルチ検出器の少なくとも一方を撮影対象の周りに相対回転させて実在データを収集するか又はＸ線管およびマルチ検出器の少なくとも一方を撮影対象の周りに相対回転させ且つＸ線管およびマルチ検出器を撮影対象に対して相対直線移動させて実在データを収集するスキャン手段と、基本再構成面上の１本または複数本のラインに対応する基本ライン状データを基にＣＴ画像を生成するための基本処理手順を保持する基本処理手順保持手段と、基本再構成面と同じか又は異なる第１再構成面に対応し且つ第１位置で取得した第１実在データから前記基本ライン状データに対応する第１仮想基本ライン状データを作成すると共に前記第１再構成面に対応し且つ前記第１位置と異なる第２位置で取得した同一ビューまたは対向ビューの第２実在データから前記基本ライン状データに対応する第２仮想基本ライン状データを作成する仮想基本ライン状データ作成手段と、前記第１仮想基本ライン状データと前記第２仮想基本ライン状データとを加重加算したデータを基に前記基本処理手順を用いて一つのＣＴ画像を再構成する再構成手段とを具備したことを特徴とするＸ線ＣＴ装置。
【請求項１４】
請求項１３に記載のＸ線ＣＴ装置において、前記仮想基本ライン状データ作成手段は、前記第１位置でのマルチ検出器の検出器列の実在データをＸ線透過方向に前記第１再構成面に投影した第１ライン状データから前記第１仮想基本ライン状データを作成し、前記第２位置でのマルチ検出器の検出器列の実在データをＸ線透過方向に前記第１再構成面に投影した第２ライン状データから前記第２仮想基本ライン状データを作成することを特徴とするＸ線ＣＴ装置。
【請求項１５】
請求項９から請求項１４のいずれかに記載のＸ線ＣＴ装置において、前記ラインは、マルチ検出器の各検出器列をＸ線透過方向に基本再構成面に投影した直線または曲線であることを特徴とするＸ線ＣＴ装置。
【請求項１６】
請求項９から請求項１４のいずれかに記載のＸ線ＣＴ装置において、前記ラインは、基本再構成面上の１本または複数画素間隔あけた複数本の直線であることを特徴とするＸ線ＣＴ装置。
【発明の詳細な説明】
【技術分野】
【０００１】
本発明は、ＣＴ（Computed Tomography）画像生成方法およびＸ線ＣＴ装置に関し、さらに詳しくは、ＣＴ画像の生成に実使用しないデータを多量に作成することを回避できると共にマルチ検出器に対する相対位置の異なる再構成面に対して共通した処理手順を使用可能にしたＣＴ画像生成方法およびＸ線ＣＴ装置に関する。
【背景技術】
【０００２】
従来、画像再構成に必要な各ビューについて、マルチ検出器の各検出器列で得た実在データを仮想の平面である投影面上にＸ線透過方向に投影し、投影面上で補間・補外処理を行って高密度データを作成し、その高密度データから再構成面上の複数画素間隔あけたラインに対応するデータを求め、再構成面上で補間・補外処理を行ってライン間のデータを作成することを繰り返し、画像再構成に必要な全ビューの再構成面上のデータを画素対応に加算してＣＴ画像を生成するＣＴ画像生成方法が知られている（例えば、特許文献１参照。）。
【０００３】
【特許文献１】特開２００３−３３４１８８号公報
【発明の開示】
【発明が解決しようとする課題】
【０００４】
マルチ検出器に対する相対位置が異なる複数の再構成面を想定した場合、上記従来のＣＴ画像生成方法では、高密度データから再構成面上の複数画素間隔あけたラインに対応するデータを求めた後からＣＴ画像を生成するまでの処理手順を、再構成面の相対位置にかかわらず、共通化できる利点がある。
しかし、ＣＴ画像の生成に実使用しないデータを投影面上に多量に作成することになるため、処理時間に無駄が多い問題点がある。
【０００５】
これに対して、画像再構成に必要な各ビューについて、マルチ検出器の各検出器列で得た一つのビューの実在データを再構成面上にＸ線透過方向に投影してライン状データを作成し、再構成面上で補間・補外処理を行って再構成面上のデータを作成することを繰り返し、画像再構成に必要な全ビューの再構成面上のデータを画素対応に加算してＣＴ画像を生成するＣＴ画像生成方法が考えられる。
このＣＴ画像生成方法では、ＣＴ画像の生成に実使用しないデータを投影面上に多量に作成することを回避できる。
しかし、マルチ検出器に対する相対位置が異なる複数の再構成面ごとにライン状データの位置が異なってくるため、ライン状データを作成する処理からＣＴ画像を生成するまでの処理手順を、再構成面ごとに用意しなければならない問題点がある。
【０００６】
そこで、本発明の目的は、ＣＴ画像の生成に実使用しないデータを多量に作成することを回避できると共にマルチ検出器に対する相対位置の異なる再構成面に対して共通した処理手順を使用可能にしたＣＴ画像生成方法およびＸ線ＣＴ装置を提供することにある。
【課題を解決するための手段】
【０００７】
第１の観点では、本発明は、基本再構成面上の１本または複数本のラインに対応する基本ライン状データを基にＣＴ画像を生成するための基本処理手順を保持し、基本再構成面とは異なる第１再構成面に対応する実在データから前記基本ライン状データに対応する仮想基本ライン状データを作成し、前記仮想基本ライン状データを基に前記基本処理手順を用いてＣＴ画像を再構成することを特徴とするＣＴ画像生成方法を提供する。
上記第１の観点によるＣＴ画像生成方法では、マルチ検出器に対する相対位置が基本再構成面とは異なる第１再構成面に対応する実在データから、基本再構成面上の基本ライン状データに対応する仮想基本ライン状データを作成し、その仮想基本ライン状データに対して基本処理手順を適用してＣＴ画像を再構成する。これにより、ＣＴ画像の生成に実使用しないデータを多量に作成することを回避できる。また、マルチ検出器に対する相対位置の異なる再構成面に対して基本処理手順を共通して使用可能になる。従って、基本処理手順の実行をハードウエア化するのに好適となる。
なお、前記実在データは、コーンビームにより各検出器で得られたデータをファン／パラ変換した後のデータであってもよい。
【０００８】
第２の観点では、本発明は、上記構成のＣＴ画像生成方法において、マルチ検出器の検出器列の実在データをＸ線透過方向に第１再構成面に投影した第１ライン状データから前記基本ライン状データに対応する仮想基本ライン状データを作成することを特徴とするＣＴ画像生成方法を提供する。
上記第２の観点によるＣＴ画像生成方法では、第１ライン状データから補間・補外処理で仮想基本ライン状データを作成するため、補間・補外処理が必要になる。しかし、マルチ検出器の検出器列の実在データをＸ線透過方向に第１再構成面に投影して第１ライン状データを作成するため、第１ライン状データを作成する処理は簡単になる。
他方、仮想基本ライン状データの別の作成方法として、基本再構成面上のラインに対応するラインを第１再構成面上に作成し、その作成したラインをＸ線透過方向にマルチ検出器面上に投影し、マルチ検出器面上に投影したラインに対応する実在データを抽出する方法がある。この方法では、補間・補外処理が不要になるが、実在データを抽出する処理が複雑になる。
【０００９】
第３の観点では、本発明は、基本再構成面上の１本または複数本のラインに対応する基本ライン状データを基にＣＴ画像を生成するための基本処理手順を保持し、基本再構成面とは異なる第１再構成面に対応する実在データから前記基本ライン状データに対応する第１仮想基本ライン状データを作成し、前記第１再構成面とは異なる第２再構成面に対応する実在データから前記基本ライン状データに対応する第２仮想基本ライン状データを作成し、前記第１仮想基本ライン状データと前記第２仮想基本ライン状データとを加重加算したデータを基に前記基本処理手順を用いて一つのＣＴ画像を再構成することを特徴とするＣＴ画像生成方法を提供する。
上記第３の観点によるＣＴ画像生成方法では、異なる再構成面の仮想基本ライン状データを加重加算してしまうため、１回の基本処理手順の実行でＺバッファリングを行うことが出来る。なお、３以上の再構成面についてのＺバッファリングも同様に行うことが出来る。
なお、前記実在データは、コーンビームにより各検出器で得られたデータをファン／パラ変換した後のデータであってもよい。
【００１０】
第４の観点では、本発明は、上記構成のＣＴ画像生成方法において、マルチ検出器の検出器列の実在データをＸ線透過方向に第１再構成面に投影した第１ライン状データから前記第１仮想基本ライン状データを作成し、マルチ検出器の検出器列の実在データをＸ線透過方向に第２再構成面に投影した第２ライン状データから前記第２仮想基本ライン状データを作成することを特徴とするＣＴ画像生成方法を提供する。
上記第４の観点によるＣＴ画像生成方法では、第１ライン状データから補間・補外処理で第１仮想基本ライン状データを作成し、第２ライン状データから補間・補外処理で第２仮想基本ライン状データを作成するため、補間・補外処理が必要になる。しかし、マルチ検出器の検出器列の実在データをＸ線透過方向に第１，第２再構成面に投影して第１，第２ライン状データを作成するため、第１，第２ライン状データを作成する処理は簡単になる。
他方、第１，第２仮想基本ライン状データの別の作成方法として、基本再構成面上のラインに対応するラインを第１，第２再構成面上に作成し、その第１，第２再構成面上に作成したラインをＸ線透過方向にマルチ検出器面上に投影し、マルチ検出器面上に投影したラインに対応する実在データを抽出する方法がある。この方法では、補間・補外処理が不要になるが、実在データを抽出する処理が複雑になる。
【００１１】
第５の観点では、本発明は、基本再構成面上の１本または複数本のラインに対応する基本ライン状データを基にＣＴ画像を生成するための基本処理手順を保持し、同一ビューまたは対向ビューについて第１位置で第１実在データを取得し第２位置で第２実在データを取得し、基本再構成面と同じか又は異なる第１再構成面に対応する前記第１実在データから前記基本ライン状データに対応する第１仮想基本ライン状データを作成し、前記第１再構成面に対応する前記第２実在データから前記基本ライン状データに対応する第２仮想基本ライン状データを作成し、前記第１仮想基本ライン状データと前記第２仮想基本ライン状データとを加重加算したデータを基に前記基本処理手順を用いて一つのＣＴ画像を再構成することを特徴とするＣＴ画像生成方法を提供する。
上記第５の観点によるＣＴ画像生成方法では、一つの再構成面の仮想基本ライン状データとして複数の実在データからそれぞれ作成した仮想基本ライン状データを加重加算したものを使うため、情報量が増え、画質を向上できる。
なお、前記実在データは、コーンビームにより各検出器で得られたデータをファン／パラ変換した後のデータであってもよい。
【００１２】
第６の観点では、本発明は、上記構成のＣＴ画像生成方法において、前記第１位置でのマルチ検出器の検出器列の実在データをＸ線透過方向に前記第１再構成面に投影した第１ライン状データから前記第１仮想基本ライン状データを作成し、前記第２位置でのマルチ検出器の検出器列の実在データをＸ線透過方向に前記第１再構成面に投影した第２ライン状データから前記第２仮想基本ライン状データを作成することを特徴とするＣＴ画像生成方法を提供する。
上記第６の観点によるＣＴ画像生成方法では、第１ライン状データから補間・補外処理で第１仮想基本ライン状データを作成し、第２ライン状データから補間・補外処理で第２仮想基本ライン状データを作成するため、補間・補外処理が必要になる。しかし、マルチ検出器の検出器列の第１，第２実在データをＸ線透過方向に第１再構成面に投影して第１，第２ライン状データを作成するため、第１，第２ライン状データを作成する処理は簡単になる。
他方、第１，第２仮想基本ライン状データの別の作成方法として、基本再構成面上のラインに対応するラインを第１再構成面上に作成し、その第１再構成面上に作成したラインをＸ線透過方向に第１，第２位置のマルチ検出器面上にそれぞれ投影し、第１，第２マルチ検出器面上にそれぞれ投影したラインに対応する第１，第２実在データを抽出する方法がある。この方法では、補間・補外処理が不要になるが、実在データを抽出する処理が複雑になる。
【００１３】
第７の観点では、本発明は、上記構成のＣＴ画像生成方法において、前記ラインは、マルチ検出器の各検出器列をＸ線透過方向に基本再構成面に投影したラインであることを特徴とするＣＴ画像生成方法を提供する。
上記第７の観点によるＣＴ画像生成方法では、基本再構成面における基本ライン状データを作成することが容易になる。
【００１４】
第８の観点では、本発明は、上記構成のＣＴ画像生成方法において、前記ラインは、基本再構成面上の１本または複数画素間隔あけた複数本の直線であることを特徴とするＣＴ画像生成方法を提供する。
上記第８の観点によるＣＴ画像生成方法では、ラインが直線なので、ライン間のデータを補間・補外により作成する計算が簡便になる。
【００１５】
第９の観点では、本発明は、Ｘ線管と、マルチ検出器と、Ｘ線管およびマルチ検出器の少なくとも一方を撮影対象の周りに相対回転させて実在データを収集するか又はＸ線管およびマルチ検出器の少なくとも一方を撮影対象の周りに相対回転させ且つＸ線管およびマルチ検出器を撮影対象に対して相対直線移動させて実在データを収集するスキャン手段と、基本再構成面上の１本または複数本のラインに対応する基本ライン状データを基にＣＴ画像を生成するための基本処理手順を保持する基本処理手順保持手段と、基本再構成面とは異なる第１再構成面に対応する実在データから前記基本ライン状データに対応する仮想基本ライン状データを作成する仮想基本ライン状データ作成手段と、前記仮想基本ライン状データを基に前記基本処理手順を用いてＣＴ画像を再構成する再構成手段とを具備したことを特徴とするＸ線ＣＴ装置を提供する。
上記第９の観点によるＸ線ＣＴ装置では、前記第１の観点によるＣＴ画像生成方法を好適に実施できる。
【００１６】
第１０の観点では、本発明は、上記構成のＸ線ＣＴ装置において、前記仮想基本ライン状データ作成手段は、マルチ検出器の検出器列の実在データをＸ線透過方向に第１再構成面に投影した第１ライン状データから前記基本ライン状データに対応する仮想基本ライン状データを作成することを特徴とするＸ線ＣＴ装置を提供する。
上記第１０の観点によるＸ線ＣＴ装置では、前記第２の観点によるＣＴ画像生成方法を好適に実施できる。
【００１７】
第１１の観点では、本発明は、Ｘ線管と、マルチ検出器と、Ｘ線管およびマルチ検出器の少なくとも一方を撮影対象の周りに相対回転させて実在データを収集するか又はＸ線管およびマルチ検出器の少なくとも一方を撮影対象の周りに相対回転させ且つＸ線管およびマルチ検出器を撮影対象に対して相対直線移動させて実在データを収集するスキャン手段と、基本再構成面上の１本または複数本のラインに対応する基本ライン状データを基にＣＴ画像を生成するための基本処理手順を保持する基本処理手順保持手段と、基本再構成面とは異なる第１再構成面に対応する実在データから前記基本ライン状データに対応する第１仮想基本ライン状データを作成すると共に前記第１再構成面とは異なる第２再構成面に対応する実在データから前記基本ライン状データに対応する第２仮想基本ライン状データを作成する仮想基本ライン状データ作成手段と、前記第１仮想基本ライン状データと前記第２仮想基本ライン状データとを加重加算したデータを基に前記基本処理手順を用いて一つのＣＴ画像を再構成する再構成手段とを具備したことを特徴とするＸ線ＣＴ装置を提供する。
上記第１１の観点によるＸ線ＣＴ装置では、前記第３の観点によるＣＴ画像生成方法を好適に実施できる。
【００１８】
第１２の観点では、本発明は、上記構成のＸ線ＣＴ装置において、前記仮想基本ライン状データ作成手段は、マルチ検出器の検出器列の実在データをＸ線透過方向に第１再構成面に投影した第１ライン状データから前記第１仮想基本ライン状データを作成し、マルチ検出器の検出器列の実在データをＸ線透過方向に第２再構成面に投影した第２ライン状データから前記第２仮想基本ライン状データを作成することを特徴とするＸ線ＣＴ装置を提供する。
上記第１２の観点によるＸ線ＣＴ装置では、前記第４の観点によるＣＴ画像生成方法を好適に実施できる。
【００１９】
第１３の観点では、本発明は、Ｘ線管と、マルチ検出器と、Ｘ線管およびマルチ検出器の少なくとも一方を撮影対象の周りに相対回転させて実在データを収集するか又はＸ線管およびマルチ検出器の少なくとも一方を撮影対象の周りに相対回転させ且つＸ線管およびマルチ検出器を撮影対象に対して相対直線移動させて実在データを収集するスキャン手段と、基本再構成面上の１本または複数本のラインに対応する基本ライン状データを基にＣＴ画像を生成するための基本処理手順を保持する基本処理手順保持手段と、基本再構成面と同じか又は異なる第１再構成面に対応し且つ第１位置で取得した第１実在データから前記基本ライン状データに対応する第１仮想基本ライン状データを作成すると共に前記第１再構成面に対応し且つ前記第１位置と異なる第２位置で取得した同一ビューまたは対向ビューの第２実在データから前記基本ライン状データに対応する第２仮想基本ライン状データを作成する仮想基本ライン状データ作成手段と、前記第１仮想基本ライン状データと前記第２仮想基本ライン状データとを加重加算したデータを基に前記基本処理手順を用いて一つのＣＴ画像を再構成する再構成手段とを具備したことを特徴とするＸ線ＣＴ装置を提供する。
上記第１３の観点によるＸ線ＣＴ装置では、前記第５の観点によるＣＴ画像生成方法を好適に実施できる。
【００２０】
第１４の観点では、本発明は、上記構成のＸ線ＣＴ装置において、前記仮想基本ライン状データ作成手段は、前記第１位置でのマルチ検出器の検出器列の実在データをＸ線透過方向に前記第１再構成面に投影した第１ライン状データから前記第１仮想基本ライン状データを作成し、前記第２位置でのマルチ検出器の検出器列の実在データをＸ線透過方向に前記第１再構成面に投影した第２ライン状データから前記第２仮想基本ライン状データを作成することを特徴とするＸ線ＣＴ装置を提供する。
上記第１４の観点によるＸ線ＣＴ装置では、前記第６の観点によるＣＴ画像生成方法を好適に実施できる。
【００２１】
第１５の観点では、本発明は、上記構成のＸ線ＣＴ装置において、前記ラインは、マルチ検出器の各検出器列をＸ線透過方向に基本再構成面に投影した直線または曲線であることを特徴とするＸ線ＣＴ装置を提供する。
上記第１５の観点によるＸ線ＣＴ装置では、前記第７の観点によるＣＴ画像生成方法を好適に実施できる。
【００２２】
第１６の観点では、本発明は、上記構成のＸ線ＣＴ装置において、前記ラインは、基本再構成面上の１本または複数画素間隔あけた複数本の直線であることを特徴とするＸ線ＣＴ装置を提供する。
上記第１６の観点によるＸ線ＣＴ装置では、前記第８の観点によるＣＴ画像生成方法を好適に実施できる。
【発明の効果】
【００２３】
本発明のＣＴ画像生成方法およびＸ線ＣＴ装置によれば、ＣＴ画像の生成に実使用しないデータを多量に作成することを回避できると共にマルチ検出器に対する相対位置の異なる再構成面に対して共通した処理手順を使用できるようになる。
【発明を実施するための最良の形態】
【００２４】
以下、図に示す実施例により本発明をさらに詳細に説明する。なお、これにより本発明が限定されるものではない。
【実施例１】
【００２５】
図１は、実施例１に係るＸ線ＣＴ装置１００を示す構成ブロック図である。
このＸ線ＣＴ装置１００は、操作コンソール１と、寝台装置１０と、走査ガントリ２０とを具備している。
【００２６】
操作コンソール１は、操作者の入力を受け付ける入力装置２と、スキャン制御処理や画像再構成処理などを実行する中央処理装置３と、走査ガントリ２０で取得したデータを収集するデータ収集バッファ５と、生成したＣＴ画像を表示するＣＲＴ６と、プログラムやデータやＣＴ画像を記憶する記憶装置７とを具備している。
【００２７】
寝台装置１０は、撮影対象を乗せて走査ガントリ２０のボア（空洞部）に入れ出しするテーブル１２を具備している。テーブル１２は、寝台装置１０に内蔵するモータで昇降および直線移動される。
【００２８】
走査ガントリ２０は、Ｘ線管２１と、Ｘ線コントローラ２２と、コリメータ２３と、マルチ検出器２４と、ＤＡＳ（Data Acquisition System）２５と、Ｘ線コントローラ２２，コリメータ２３，ＤＡＳ２５の制御を行う回転側コントローラ２６と、制御信号などを操作コンソール１や撮影テーブル１０とやり取りする制御コントローラ２９と、スリップリング３０とを具備している。
【００２９】
図２および図３は、Ｘ線管２１とマルチ検出器２４の説明図である。
Ｘ線管２１とマルチ検出器２４は、回転中心ＩＣの回りを回転する。テーブル１２の直線移動方向をｚ軸方向とし、テーブル１２の上面に垂直な方向をｙ軸方向とし、ｚ軸方向およびｙ軸方向に直交する方向をｘ軸方向とするとき、Ｘ線管２１およびマルチ検出器２４の回転平面は、ｘｙ面である。
Ｘ線管２１は、コーンビームと呼ばれるＸ線ビームＣＢを発生する。Ｘ線ビームＣＢの中心軸方向がｙ軸方向に平行なときを、ビュー角度view＝０゜とする。
マルチ検出器２４は、Ｊ（例えばＪ＝２５６）列の検出器列を有する。また、各検出器列は、Ｉ（例えばＩ＝１０２４）チャネルのチャネルを有する。
【００３０】
図４は、view＝０゜におけるＸ線管２１とマルチ検出器２４と基本再構成面Ｐｏの位置関係を示す模式図である。
基本再構成面Ｐｏは、Ｚ＝Ｚｏの基本位置にある。
Ｘ線管２１及びマルチ検出器２４は、ビュー角度view＝０゜のときＺ＝Ｚ０の位置にあり、アキシャルスキャンなら位置は変わらず、ヘリカルスキャンならビュー角度に依存して位置が変わる。
基本再構成面Ｐｏにマルチ検出器２４の各検出器列ｄ１〜ｄ５をＸ線透過方向に投影した各ライン上に、各検出器列ｄ１〜ｄ５で得た実在データを展開したデータを基本ライン状データＫo１〜Ｋo５という。
図５は、基本ライン状データＫo１〜Ｋo５の概念図である。なお、一般化した基本ライン状データをＫoｎで表している。
【００３１】
図６は、基本ライン状データＫoｎに対応した３次元逆投影処理を示すフロー図である。これを基本処理手順と呼ぶ。
ステップＲ１では、画像再構成に必要なビュー範囲中の一つのビューに着目する。ビュー範囲は、例えば「１８０゜＋ファン角度」あるいは「３６０゜」である。
【００３２】
ステップＲ２では、基本ライン状データＫoｎにコーンビーム再構成荷重を乗算し、図７に示す如き投影ライン・データＤpｎを作成する。
ここで、コーンビーム再構成荷重は、Ｘ線管２１の焦点から基本ライン状データＫoｎに対応するマルチ検出器２４の検出器列ｊ，チャネルｉまでの距離をｒ０とし、Ｘ線管２１の焦点から基本ライン状データＫoｎに対応する基本再構成面Ｐｏ上の点までの距離をｒ１とするとき、（ｒ１／ｒ０）２である。
【００３３】
ステップＲ３では、投影ライン・データＤpｎに対して、フィルタ処理を行う。すなわち、投影ライン・データＤpｎにＦＦＴを施し、フィルタ関数（再構成関数）を掛け、逆ＦＦＴを施して、図８に示す如き画像各位置ライン・データＤfｎとする。
【００３４】
ステップＲ４では、画像各位置ライン・データＤfｎをサンプリングし且つ必要に応じて補間・補外処理して、図９に示すように、基本再構成面Ｐｏ上の画素の逆投影画素データＤ２を得る。
【００３５】
ステップＲ５では、図１０に示すように、逆投影画素データＤ２を画素対応に加算する。
ステップＲ６では、画像再構成に必要な全ビューについて、ステップＲ１〜Ｒ５を繰り返し、逆投影データＤ３(x,y)を得る。そして、処理を終了する。
【００３６】
図１１は、実施例１に係るＣＴ画像生成処理を示すフロー図である。
ステップＳ１では、Ｘ線管２１およびマルチ検出器２４を所望のスキャン位置に移動する（実際には、テーブル１２を直線移動する）。
ステップＳ２では、アキシャルスキャンまたはヘリカルスキャンにより実在データを収集する。
ここでは、図１２の（ａ）に示すように、view＝０゜のときＸ線管２１およびマルチ検出器２４が基本位置Ｚ＝Ｚ０に位置するように移動して実在データを収集したものとする。また、第１位置Ｚ＝Ｚ１の第１再構成面Ｐ１のＣＴ画像を生成したいものとする。
【００３７】
図１１に戻り、ステップＳ３では、収集した実在データに対して、前処理（オフセット補正，対数補正，Ｘ線線量補正，感度補正）を行う。
【００３８】
ステップＳ５では、ビュー番号カウンタｖ＝１に初期化する。なお、ビュー番号は、画像再構成に必要な全てのビュー角度viewに割り当てた通し番号である。
【００３９】
ステップＳ７ａでは、図１２に示すように、マルチ検出器２４の検出器列ｄ１〜ｄ９の第ｖビューの実在データをＸ線透過方向に第１再構成面Ｐ１に投影し、第１ライン状データＬ1１〜Ｌ1９を作成する。
図１３は、第１ライン状データＬ1１〜Ｌ1９の概念図である。なお、一般化した第１ライン状データをＬ1ｉで表している。
【００４０】
図１１に戻り、ステップＳ８ａでは、図１４に示すように、第１ライン状データをＬ1ｉから、補間・補外処理により、仮想基本ライン状データＫ1ｎを作成する。ここで、第１再構成面Ｐ１における仮想基本ライン状データＫ1ｎの位置は、基本再構成面Ｐｏにおける基本ライン状データＫoｎの位置に対応している。
図１５は、作成した仮想基本ライン状データＫ1ｎの概念図である。
【００４１】
図１１に戻り、ステップＳ１２では、画像再構成に必要な全ビューの仮想基本ライン状データＫ1ｎを作成し終わっていないならステップＳ１３へ進み、作成し終わったならステップＳ１７へ進む。
ステップＳ１３では、ビュー番号カウンタｖを１だけインクリメントし、ステップＳ７ａに戻る。
【００４２】
ステップＳ１７では、仮想基本ライン状データＫ1ｎに対して、図６に示した基本処理手順を行い、逆投影データＤ３(x,y)を求める。
ステップＳ１８では、逆投影データＤ３(x,y)に対して後処理を行い、ＣＴ画像を得る。そして、処理を終了する。
【００４３】
実施例１のＸ線ＣＴ装置１００によれば、基本再構成面Ｐｏ上の基本ライン状データＫoｎに対する基本処理手順を保持しておき、マルチ検出器２４に対する相対位置が基本再構成面Ｐｏとは異なる第１再構成面Ｐ１に対応する実在データから、基本再構成面Ｐｏ上の基本ライン状データＫoｎに対応する仮想基本ライン状データＬ1ｎを作成し、その仮想基本ライン状データＬ1ｎに対して基本処理手順を適用して、ＣＴ画像を再構成する。これにより、ＣＴ画像の生成に実使用しないデータを多量に作成することを回避できる。また、マルチ検出器２４に対する相対位置が基本再構成面Ｐｏに対する基本処理手順を、基本再構成面Ｐｏとは異なる第１再構成面Ｐ１に対しても使用可能になる。従って、図６のステップＳ１７をハードウエア化するのに好適となる。
【００４４】
なお、前記実在データは、コーンビームにより各検出器で得られたデータをファン／パラ変換した後のデータであってもよい。この場合、直線状の検出器列を想定できるから、ラインは直線になる。
【実施例２】
【００４５】
図１６は、実施例２に係るＣＴ画像生成処理を示すフロー図である。
ステップＳ１では、Ｘ線管２１およびマルチ検出器２４を所望のスキャン位置に移動する（実際には、テーブル１２を直線移動する）。
ステップＳ２では、アキシャルスキャンまたはヘリカルスキャンにより実在データを収集する。
ここでは、図１７に示すように、view＝０゜のときＸ線管２１およびマルチ検出器２４が基本位置Ｚ＝Ｚ０に位置するように移動して実在データを収集したものとする。また、第１位置Ｚ＝Ｚ１の第１再構成面Ｐ１の第１ＣＴ画像と第２位置Ｚ＝Ｚ２の第２再構成面Ｐ２の第２ＣＴ画像とを加重加算した如きＣＴ画像を生成したいものとする。
【００４６】
図１６に戻り、ステップＳ３では、収集した実在データに対して、前処理（オフセット補正，対数補正，Ｘ線線量補正，感度補正）を行う。
【００４７】
ステップＳ４では、再構成面番号カウンタｊ＝１に初期化する。なお、再構成面番号は、各再構成面に割り当てた通し番号である。
【００４８】
ステップＳ５では、ビュー番号カウンタｖ＝１に初期化する。なお、ビュー番号は、画像再構成に必要な全てのビュー角度viewに割り当てた通し番号である。
【００４９】
ステップＳ７ｂでは、マルチ検出器２４の検出器列の第ｖビューの実在データをＸ線透過方向に第ｊ再構成面Ｐｊに投影し、第ｊライン状データＬjｉを作成する。
【００５０】
ステップＳ８ｂでは、第ｊライン状データをＬjｉから、補間・補外処理により、第ｊ仮想基本ライン状データＫjｎを作成する。ここで、第ｊ再構成面Ｐｊにおける第ｊ仮想基本ライン状データＫjｎの位置は、基本再構成面Ｐｏにおける基本ライン状データＫoｎの位置に対応している。
【００５１】
ステップＳ１２では、画像再構成に必要な全ビューの仮想基本ライン状データＫjｎを作成し終わっていないならステップＳ１３へ進み、作成し終わったならステップＳ１４へ進む。
ステップＳ１３では、ビュー番号カウンタｖを１だけインクリメントし、ステップＳ７ｂに戻る。
【００５２】
ステップＳ１４では、全ての再構成面の仮想基本ライン状データＫjｎを作成し終わっていないならステップＳ１５へ進み、作成し終わったならステップＳ１６へ進む。
ステップＳ１５では、再構成面番号カウンタｊを１だけインクリメントし、ステップＳ５に戻る。
【００５３】
ステップＳ１６では、図１７の（ｂ）に示すような重みを付けて、全ての再構成面の対応する仮想基本ライン状データＫjｎを加重加算し、合成基本ライン状データＫsｎを作成する。
【００５４】
ステップＳ１７では、合成基本ライン状データＫsｎに対して、図６に示した基本処理手順を行い、逆投影データＤ３(x,y)を求める。
ステップＳ１８では、逆投影データＤ３(x,y)に対して後処理を行い、ＣＴ画像を得る。そして、処理を終了する。
【００５５】
実施例２のＸ線ＣＴ装置によれば、基本再構成面Ｐｏ上の基本ライン状データＫoｎに対する基本処理手順を保持しておき、マルチ検出器２４に対する相対位置が基本再構成面Ｐｏと同じか又は異なる複数の再構成面Ｐｊに対応する実在データから、基本再構成面Ｐｏ上の基本ライン状データＫoｎに対応する合成基本ライン状データＫsｎを作成し、その合成基本ライン状データＫsｎに対して基本処理手順を適用して、ＣＴ画像を再構成する。これにより、ＣＴ画像の生成に実使用しないデータを多量に作成することを回避できる。また、Ｚバッファリングを１回の基本処理手順で実行できる。
【実施例３】
【００５６】
図１８は、実施例３に係るＣＴ画像生成処理を示すフロー図である。
ステップＳ１では、Ｘ線管２１およびマルチ検出器２４を所望のスキャン位置に移動する（実際には、テーブル１２を直線移動する）。
ステップＳ２では、アキシャルスキャンまたはヘリカルスキャンにより実在データを収集する。
ここでは、図１９の（ａ）（ｂ）に示すように、view＝０゜のときＸ線管２１およびマルチ検出器２４が基本位置Ｚ＝Ｚ０およびＺ＝Ｚ３に位置するように移動して実在データを収集したものとする。従って、アキシャルスキャンなら２回以上のスキャンが必要である。また、第１位置Ｚ＝Ｚ１の第１再構成面Ｐ１のＣＴ画像を生成したいものとする。
【００５７】
図１８に戻り、ステップＳ３では、収集した実在データに対して、前処理（オフセット補正，対数補正，Ｘ線線量補正，感度補正）を行う。
【００５８】
ステップＳ５では、ビュー番号カウンタｖ＝１に初期化する。なお、ビュー番号は、画像再構成に必要な全てのビュー角度viewに割り当てた通し番号である。
【００５９】
ステップＳ６では、実在データ番号カウンタｍ＝１に初期化する。なお、実在データ番号は、異なる位置で得られた同一ビューまたは対向ビューの実在データに割り当てた通し番号である。
【００６０】
ステップＳ７ｃでは、マルチ検出器２４の検出器列の第ｖビューの第ｍ実在データをＸ線透過方向に第１再構成面Ｐ１に投影し、第ｍ実在データによる第１ライン状データＬ1ｉｍを作成する。
【００６１】
ステップＳ８ｃでは、第ｍ実在データによる第１ライン状データをＬ1ｉｍから、補間・補外処理により、第ｍ実在データによる第１仮想基本ライン状データＫ1ｎｍを作成する。ここで、第１再構成面Ｐ１における第１仮想基本ライン状データＫ1ｎの位置は、基本再構成面Ｐｏにおける基本ライン状データＫoｎの位置に対応している。
【００６２】
ステップＳ９では、第ｖビューについて存在する全ての実在データの第１仮想基本ライン状データＫ1ｎｍを作成し終わっていないならステップＳ１０へ進み、作成し終わったならステップＳ１１へ進む。
ステップＳ１０では、実在データ番号カウンタｍを１だけインクリメントし、ステップＳ７ｃに戻る。
【００６３】
ステップＳ１１では、図１９の（ｃ）に示すような重みを付けて、全ての実在データの対応する第１仮想基本ライン状データＫ1ｎｍを加重加算し、第ｖビューの一つの仮想基本ライン状データＫ1ｎを作成する。
【００６４】
ステップＳ１２では、画像再構成に必要な全ビューの第１仮想基本ライン状データＫ1ｎを作成し終わっていないならステップＳ１３へ進み、作成し終わったならステップＳ１７へ進む。
ステップＳ１３では、ビュー番号カウンタｖを１だけインクリメントし、ステップＳ６に戻る。
【００６５】
ステップＳ１７では、第１仮想基本ライン状データＫ1ｎに対して、図６に示した基本処理手順を行い、逆投影データＤ３(x,y)を求める。
ステップＳ１８では、逆投影データＤ３(x,y)に対して後処理を行い、ＣＴ画像を得る。そして、処理を終了する。
【００６６】
実施例３のＸ線ＣＴ装置によれば、基本再構成面Ｐｏ上の基本ライン状データＫoｎに対する基本処理手順を保持しておき、異なる位置で得た複数の実在データから、基本再構成面Ｐｏ上の基本ライン状データＫoｎに対応する仮想基本ライン状データＫ1ｎを作成し、その仮想基本ライン状データＫ1ｎに対して基本処理手順を適用して、ＣＴ画像を再構成する。これにより、ＣＴ画像の生成に実使用しないデータを多量に作成することを回避できる。また、複数の実在データを利用して一つのＣＴ画像を生成するため、情報量が増え、画質を向上できる。
【実施例４】
【００６７】
図２０は、実施例４に係るＣＴ画像生成処理を示すフロー図である。
先述した実施例１〜実施例３は、実施例４のサブセットになっている。すなわち、実施例４でｊ＝１，ｍ＝１とすると実施例１となり、ｊ≧２，ｍ＝１とすると実施例２となり、ｊ＝１，ｍ≧２とすると実施例３となる。
【００６８】
ステップＳ１では、Ｘ線管２１およびマルチ検出器２４を所望のスキャン位置に移動する（実際には、テーブル１２を直線移動する）。
ステップＳ２では、アキシャルスキャンまたはヘリカルスキャンにより実在データを収集する。
【００６９】
ステップＳ３では、収集した実在データに対して、前処理（オフセット補正，対数補正，Ｘ線線量補正，感度補正）を行う。
【００７０】
ステップＳ４では、再構成面番号カウンタｊ＝１に初期化する。なお、再構成面番号は、各再構成面に割り当てた通し番号である。
【００７１】
ステップＳ５では、ビュー番号カウンタｖ＝１に初期化する。なお、ビュー番号は、画像再構成に必要な全てのビュー角度viewに割り当てた通し番号である。
【００７２】
ステップＳ６では、実在データ番号カウンタｍ＝１に初期化する。なお、実在データ番号は、異なる位置で得られた同一ビューまたは対向ビューの実在データに割り当てた通し番号である。
【００７３】
ステップＳ７ｄでは、マルチ検出器２４の検出器列の第ｖビューの第ｍ実在データをＸ線透過方向に第ｊ再構成面Ｐｊに投影し、第ｍ実在データによる第ｊライン状データＬjｉｍを作成する。
【００７４】
ステップＳ８ｄでは、第ｍ実在データによる第ｊライン状データをＬjｉｍから、補間・補外処理により、第ｍ実在データによる第ｊ仮想基本ライン状データＫjｎｍを作成する。ここで、第ｊ再構成面Ｐｊにおける第ｊ仮想基本ライン状データＫjｎｍの位置は、基本再構成面Ｐｏにおける基本ライン状データＫoｎの位置に対応している。
【００７５】
ステップＳ９では、第ｖビューについて存在する全ての実在データの第１仮想基本ライン状データＫ1ｎｍを作成し終わっていないならステップＳ１０へ進み、作成し終わったならステップＳ１１へ進む。
ステップＳ１０では、実在データ番号カウンタｍを１だけインクリメントし、ステップＳ７ｄに戻る。
【００７６】
ステップＳ１１では、全ての実在データの対応する第１仮想基本ライン状データＫ1ｎｍを加重加算し、第ｖビューの第ｊ仮想基本ライン状データＫjｎを作成する。
【００７７】
ステップＳ１２では、画像再構成に必要な全ビューの第ｊ仮想基本ライン状データＫjｎを作成し終わっていないならステップＳ１３へ進み、作成し終わったならステップＳ１４へ進む。
ステップＳ１３では、ビュー番号カウンタｖを１だけインクリメントし、ステップＳ６に戻る。
【００７８】
ステップＳ１４では、全ての再構成面の仮想基本ライン状データＫjｎを作成し終わっていないならステップＳ１５へ進み、作成し終わったならステップＳ１６へ進む。
ステップＳ１５では、再構成面番号カウンタｊを１だけインクリメントし、ステップＳ５に戻る。
【００７９】
ステップＳ１６では、全ての再構成面の対応する仮想基本ライン状データＫjｎを加重加算し、合成基本ライン状データＫsｎを作成する。
ステップＳ１７では、合成基本ライン状データＫsｎに対して、図６に示した基本処理手順を行い、逆投影データＤ３(x,y)を求める。
ステップＳ１８では、逆投影データＤ３(x,y)に対して後処理を行い、ＣＴ画像を得る。そして、処理を終了する。
【００８０】
実施例４のＸ線ＣＴ装置によれば、実施例１〜実施例３の効果を全て得ることが出来る。
【実施例５】
【００８１】
図６のステップＲ２の処理を、図１１のステップＳ７ａ，図１６のステップＳ７ｂ，図１８のステップＳ７ｃ，図２０のステップＳ７ｄに繰り込んでもよい。
【産業上の利用可能性】
【００８２】
本発明のＣＴ画像生成方法およびＸ線ＣＴ装置は、基本処理手順の実行をハードウエア化する際に利用できる。
【図面の簡単な説明】
【００８３】
【図１】実施例１に係るＸ線ＣＴ装置を示す構成ブロック図である。
【図２】Ｘ線管およびマルチ検出器の回転を示す説明図である。
【図３】コーンビームを示す説明図である。
【図４】基本再構成面を例示する説明図である。
【図５】基本ライン状データを例示する概念図である。
【図６】基本ライン状データに対応した３次元逆投影処理を示すフロー図である。
【図７】ビュー角度view＝０゜における基本ライン状データＫoｎにコーンビーム再構成荷重を乗算した投影ライン・データＤpｎを示す概念図である。
【図８】ビュー角度view＝０゜における投影ライン・データＤpｎにフィルタ処理を施した逆投影ライン・データＤfｎ示す概念図である。
【図９】ビュー角度view＝０゜における逆投影ライン・データＤfｎから得た逆投影画素データＤ２を示す概念図である。
【図１０】逆投影画素データＤ２を画素対応に全ビュー加算して逆投影データＤ３を得る状態を示す説明図である。
【図１１】実施例１に係るＣＴ画像生成処理を示すフロー図である。
【図１２】第１再構成面を例示する説明図である。
【図１３】第１ライン状データを例示する概念図である。
【図１４】第１ライン状データと仮想基本ライン状データの位置関係を例示する概念図である。
【図１５】第１ライン状データから作成した仮想基本ライン状データを例示する概念図である。
【図１６】実施例２に係るＣＴ画像生成処理を示すフロー図である。
【図１７】第１再構成面および第２再構成面を例示する説明図である。
【図１８】実施例３に係るＣＴ画像生成処理を示すフロー図である。
【図１９】第１再構成面に対応する複数の実在データを例示する説明図である。
【図２０】実施例４に係るＣＴ画像生成処理を示すフロー図である。
【符号の説明】
【００８４】
１                  操作コンソール
３                  中央処理装置
２０                走査ガントリ
２１                Ｘ線管
２４                マルチ検出器
１００              Ｘ線ＣＴ装置
【図１】
2005319146.tif 000003
【図２】
2005319146.tif 000004
【図３】
2005319146.tif 000005
【図４】
2005319146.tif 000006
【図５】
2005319146.tif 000007
【図６】
2005319146.tif 000008
【図７】
2005319146.tif 000009
【図８】
2005319146.tif 000010
【図９】
2005319146.tif 000011
【図１０】
2005319146.tif 000012
【図１１】
2005319146.tif 000013
【図１２】
2005319146.tif 000014
【図１３】
2005319146.tif 000015
【図１４】
2005319146.tif 000016
【図１５】
2005319146.tif 000017
【図１６】
2005319146.tif 000018
【図１７】
2005319146.tif 000019
【図１８】
2005319146.tif 000020
【図１９】
2005319146.tif 000021
【図２０】
2005319146.tif 000022